(57)【特許請求の範囲】
【請求項１】
左右の身頃からなるトランクス型パンツであって、前記左右の身頃のいずれか一方が、前記一方の股ぐり線と略平行な下端線を有する身頃続きの見返しを備えると共に、その他方が、前記他方の股ぐり線と略平行な下端線を有する身頃続きの持ち出しを備え、前記見返しと前記持ち出しにより前開き口が形成されるものにおいて、前記左右の身頃の股ぐり線は、
ａ．前記見返しおよび持ち出しの下端線と略平行な第１の直線部、
ｂ．前記第１の直線部に連続される凸状の曲線部、    および
ｃ．前記第１の直線部に対し、第１の所定の角度をなして前記凸状の曲線部に連続される第２の直線部、
からなると共に、前記第２の直線部には、さらに、略直角をなして前記左右の身頃の第１の後股ぐり線が連続して形成されることを特徴とするトランクス型パンツ。
【請求項２】
前記見返しおよび持ち出しの下端線と、前記左右の身頃の股ぐり線が、連続して縫合されることを特徴とする請求項１項記載のトランクス型パンツ。
【請求項３】
前記前開き口は、前記トランクス型パンツの立位着用時における前記股ぐり線の最上点まで開口されることを特徴とする請求項１項または２項記載のトランクス型パンツ。
【請求項４】
前記左右の身頃は、第１の伸縮度を有する縦地の目方向と、前記縦地の目方向と直交し、かつ前記第１の伸縮度よりも大きな第２の伸縮度を有する横地の目方向を備える生地を裁断して形成されると共に、前記トランクス型パンツの立位着用時における横方向が縦地の目方向となるように裁断されることを特徴とする請求項１項から３項のいずれかに記載のトランクス型パンツ。
【請求項５】
前記左右の身頃の後股ぐりは、前記第２の直線部に連続する第１の後股ぐり線と、前記左右の身頃の後中心線に連続する第２の後股ぐり線を縫合することによって形成されると共に、前記第２の後股ぐり線は、
ｄ．前記後中心線に対し、第２の所定の角度をなして連続される第３の直線部、    および
ｅ．前記第３の直線部と連続され、かつ前記後中心線寄りに変化すると共に、前記横地の目方向と略平行な端縁を有する凹状の曲線部、
からなることを特徴とする請求項１項から４項のいずれかに記載のトランクス型パンツ。
【請求項６】
前記トランクス型パンツの履き口および裾口を形成する部分の裁断方向が、前記縦地の目方向と平行に形成されることを特徴とする請求項１項から５項のいずれかに記載のトランクス型パンツ。
【請求項７】
前記生地は、前記縦地の目方向と横地の目方向の中間方向において、前記第１の伸縮度よりも大きく、かつ前記第２の伸縮度よりも小さい第３の伸縮度を有すると共に、前記第１および第２の所定の角度は、前記中間方向をなす角度であることを特徴とする請求項１項から６項のいずれかに記載のトランクス型パンツ。
【請求項８】
左右の身頃および前記左右の身頃の股ぐりと合成される股マチ布からなるトランクス型パンツであって、前記左右の身頃および股マチ布が、第１の伸縮度を有する縦地の目方向と、前記縦地の目方向と直交し、かつ前記第１の伸縮度よりも大きな第２の伸縮度を有する横地の目方向を備える生地を裁断して形成されるものにおいて、前記トランクス型パンツの立位着用時における前記左右の身頃の上下方向が前記横地の目方向となるように裁断されると共に、前記トランクス型パンツの立位着用時における前記股マチ布の前後方向が前記縦地の目方向となるように裁断されることを特徴とするトランクス型パンツ。
【請求項９】
前記左右の身頃は、身頃続きのサポータ部を備えると共に、前記サポータ部は、前記トランクス型パンツの立位着用時における上下方向が、前記横地の目方向となるように裁断されることを特徴とする請求項８項記載のトランクス型パンツ。
【発明の詳細な説明】
【０００１】
【発明の属する技術分野】
この発明はトランクス型パンツに関し、より具体的には、前開き口を備えると共に、股間部付近の構造および生地特性によって機能性を向上させるようにしたトランクス型パンツに関する。
【０００２】
尚、この明細書において「男性局部」とは男性の外部生殖器を指し、基本的には陰茎の意味で用いるが、陰茎および陰嚢の両者を含む意味で用いる場合もある。
【０００３】
また、この発明の名称はトランクス型パンツであるが、明細書中において、トランクス型パンツをトランクスあるいはパンツと略して用いる場合もある。
【０００４】
また、一般的に「前開き」ないし「前開き口」とは、トランクス型パンツの前面に窓状に設けられる男性局部を取り出すための開口部を指すが、この明細書においては、パンツを構成する前身頃などの生地片においても付随して用いることがある。
【０００５】
また、横地の目の裁断とは、従来技術において裁断構造の主流となる、生地の縦地の目方向が立位着用時に身長方向（上下方向）になる、いわゆる縦地の目の裁断を、９０度回転させて素材特性の差分を矯正した裁断構造であって、立位着用時にウエストライン（横方向）に対して縦地の目となり、身長方向は横地の目で形成された構造の意味で用いる。
【０００６】
【従来の技術】
トランクス型パンツは一般的に、素材に関わらず、前開きトランクスと前閉じトランクスに大別され、そのうち前開きトランクスにおいては、ズボン着用時にも重ね着したまま排尿できるため、市場において支持率が安定的に増加している。
【０００７】
ところで、前開きトランクス支持者にとって最大の利点は排尿時の動作がスピーディにできることであるが、特に中・高年齢者の多くは尿意を覚えて排尿をするまでの時間が短く、また前立腺肥大などの症状をもつ人にとって男性局部の取り出しに時間を要することは深刻な問題であった。
【０００８】
また、トランクス型パンツの前開き口の縫合時の工程上の制約から、複数の縫い目が重なり合ったり、あるいは当て布をあてる必要があり、その結果、前開き口、特に股ぐり部分が嵩張りがちであるという不具合があった。
【０００９】
このような不具合を解決するトランクス型パンツとして、例えば、本出願人が先に提案した特許第２７９４６５７号に記載される技術が挙げられる。この特許第２７９４６５７号に係るトランクス型パンツは、前記前開きトランクスの前開き口と、股間部周辺の機能性を向上させる構造、具体的には、前開き口を男性局部に対応する位置まで下げ、男性局部の取り出しを容易にし、さらに前開き口から股間直下位置までの部分に男性局部が快適に収容されるスペースを持つ構造とすることで、上記不具合を解消している。
【００１０】
【発明が解決しようとする課題】
しかしながら、上記した特許第２７９４６５７号や他の従来技術に係るトランクス型パンツにあっては、前開きトランクスの多くは開き口が広めに形成されていると共に、開き口の開閉のために面倒な釦の掛け外し動作が必要であった。
【００１１】
このため、前記開き口を釦で開閉するなどの面倒な釦の掛け外し動作を不要とし、より一層機能性を向上させることができる構造のパンツが望まれていた。
【００１２】
従って、この発明の第１の目的は、上記した従来技術の欠点を解消し、前開き口を男性局部に対応する位置まで下げ、男性局部の取り出しを容易にすると共に、釦で開閉する必要のない範囲まで小さく（狭く）形成するようにしたトランクス型パンツを提供することにある。
【００１３】
また、従来のトランクス型パンツにあっては、ズボンを重ね着した際に、ズボンの股ぐり構造にパンツの股ぐりが影響を受け、ヘムライン（裾線）が吊り上げられ（広げられ）て嵩張ってしまうことから、男性局部が快適に収容されないといった不具合があった。
【００１４】
従って、この発明の第２の目的は、ズボンを重ね着した際などの股ぐりやヘムラインの広がりを防止し、トランクス型パンツの初期形状を維持するようにしたトランクス型パンツを提供することにある。
【００１５】
また、トランクス型パンツの多くはゆったりとしたシルエットが主流で、股間部、特に座位着用時には、臀部部分につっぱりが発生するため、生地の分量を多く、または長く使用しているが、パンツ着用時の立位後ろ姿にあっては、おしめ状のふくらみと垂れ下がったシルエットのため、ファッション性が低下し、ズボン着用時には股間部の嵩張り感が否めず、着用感が低下するといった不具合があった。
【００１６】
ところで、従来、トランクス型パンツの素材として布帛が主流であったが、伸縮に優れる機能性の良さから、近年の市場においては、ニット素材の割合が増大している。
【００１７】
しかしながら、ニット素材で成形されるトランクス型パンツにおいては、縦地の目の裁断で形成された股ぐりおよびヘムラインの地の目が着用時に横地の目となることから、柔軟で伸縮に優れる反面、絶えず張力が加わるために生地が伸びきってしまい、股ぐりのサポート性が低下すると共に、ヘムラインが広がってフレアーパンツ状を呈し、着用感およびファッション性が低下するといった問題があった。
【００１８】
従って、この発明の第３の目的は、股ぐりと見返しおよび持ち出しのシンプルな構造を備えると共に、不必要な縫い目や縫い代をなくすようにしたトランクス型パンツを提供することにある。さらには、股マチを備えるトランクス型パンツ、およびパンツ内部にサポータを備えるものにおいても、同様にズボンの股ぐり構造に影響を受けない構造を備え、ゴロツキや嵩張りを解消してファッション性および着用感を向上させることを副次的な目的とする。
【００１９】
【課題を解決するための手段】
上記の課題を解決するために、請求項１項にあっては、左右の身頃からなるトランクス型パンツであって、前記左右の身頃のいずれか一方が、前記一方の股ぐり線と略平行な下端線を有する身頃続きの見返しを備えると共に、その他方が、前記他方の股ぐり線と略平行な下端線を有する身頃続きの持ち出しを備え、前記見返しと前記持ち出しにより前開き口が形成されるものにおいて、前記左右の身頃の股ぐり線は、前記見返しおよび持ち出しの下端線と略平行な第１の直線部、前記第１の直線部に連続される凸状の曲線部、および前記第１の直線部に対し、第１の所定の角度をなして前記凸状の曲線部に連続される第２の直線部、からなると共に、前記第２の直線部には、さらに、略直角をなして前記左右の身頃の第１の後股ぐり線が連続して形成されるように構成した。
【００２０】
左右の身頃からなるトランクス型パンツであって、左右の身頃のいずれか一方が、前記一方の股ぐり線と略平行な下端線を有する身頃続きの見返しを備えると共に、その他方が、前記他方の股ぐり線と略平行な下端線を有する身頃続きの持ち出しを備え、前記見返しと前記持ち出しにより前開き口が形成されるものにおいて、前記左右の身頃の股ぐり線は、前記見返しおよび持ち出しの下端線と略平行な第１の直線部、前記第１の直線部に連続される凸状の曲線部、および前記第１の直線部に対し、第１の所定の角度をなして前記凸状の曲線部に連続される第２の直線部、からなると共に、前記第２の直線部には、さらに、略直角をなして前記左右の身頃の第１の後股ぐり線が連続して形成されるように構成したので、股ぐり線が凸状の曲線に形成される、即ち、股ぐりが凹凸状に変形することができ、よってズボンを重ね着した際などに、股ぐりやヘムラインが広がらず、初期形状を継続するので、着用感も良く、ファッション性も向上させることができる。
【００２１】
さらに、前開き口を男性局部まで下げ、男性局部の取り出しを容易にすることができる。また、股ぐり、見返しおよび持ち出しがシンプルな構造となり、不必要な縫い目や縫い代をなくすことができる。
【００２２】
また、請求項２項にあっては、前記見返しおよび持ち出しの下端線と、前記左右の身頃の股ぐり線が、連続して縫合されるように構成した。
【００２３】
前記見返しおよび持ち出しの下端線と、前記左右の身頃の股ぐり線が、連続して縫合されるように構成したので、裁ち端を効率よく処理できて当て布などの始末布が不要となり、ゴロツキ、嵩張りが発生しない。また、装着感を向上することができると共に、前開き口を形成する位置の自由度を高くすることができる。
【００２４】
また、請求項３項にあっては、前記前開き口は、前記トランクス型パンツの立位着用時における前記股ぐり線の最上点まで開口されるように構成した。
【００２５】
前記前開き口は、前記トランクス型パンツの立位着用時における前記股ぐり線の最上点まで開口されるように構成したので、前開き口を男性局部に対する適正位置に形成することができ、よって男性局部の取り出しを容易にすると共に、釦で開閉する必要のない範囲まで小さく（狭く）形成することができる。
【００２６】
また、請求項４項にあっては、前記左右の身頃は、第１の伸縮度を有する縦地の目方向と、前記縦地の目方向と直交し、かつ前記第１の伸縮度よりも大きな第２の伸縮度を有する横地の目方向を備える生地を裁断して形成されると共に、前記トランクス型パンツの立位着用時における横方向が縦地の目方向となるように裁断されるように構成した。
【００２７】
前記左右の身頃は、第１の伸縮度を有する縦地の目方向と、前記縦地の目方向と直交し、かつ前記第１の伸縮度よりも大きな第２の伸縮度を有する横地の目方向を備える生地を裁断して形成されると共に、前記トランクス型パンツの立位着用時における横方向が縦地の目方向となるように裁断されるように構成したので、ズボン着用時などにズボンの股ぐり構造に適応する股下形状とすることができ、よって、ゴロツキや嵩張りを解消することができると共に、ファッション性や着用感を低下させることがない。
【００２８】
また、請求項５項にあっては、前記左右の身頃の後股ぐりは、前記第２の直線部に連続する第１の後股ぐり線と、前記左右の身頃の後中心線に連続する第２の後股ぐり線を縫合することによって形成されると共に、前記第２の後股ぐり線は、前記後中心線に対し、第２の所定の角度をなして連続される第３の直線部、および前記第３の直線部と連続され、かつ前記後中心線寄りに変化すると共に、前記横地の目方向と略平行な端縁を有する凹状の曲線部、からなるように構成した。
【００２９】
前記左右の身頃の後股ぐりは、前記第２の直線部に連続する第１の後股ぐり線と、前記左右の身頃の後中心線に連続する第２の後股ぐり線を縫合することによって形成されると共に、前記第２の後股ぐり線は、前記後中心線に対し、第２の所定の角度をなして連続される第３の直線部、および前記第３の直線部と連続され、かつ前記後中心線寄りに変化すると共に、前記横地の目方向と略平行な端縁を有する凹状の曲線部、からなるように構成したので、股ぐりの後方部分（後股ぐり）が後中心線寄りに湾曲状に変化し、かつ横地の目にほぼ近い伸縮を持った端縁が得られ、よってしっかりとしながら柔軟な伸縮を有しつつ、つっぱり感のない後股ぐりを形成することができる。
【００３０】
また、請求項６項にあっては、前記トランクス型パンツの履き口および裾口を形成する部分の裁断方向が、前記縦地の目方向と平行に形成されるように構成した。
【００３１】
前記トランクス型パンツの履き口および裾口を形成する部分の裁断方向が、前記縦地の目方向と平行に形成されるように構成したので、即ち、履き口（ウエストライン）と裾口（ヘムライン）が平行に形成されるので、パンツ着用時におけるウエストラインからヘムラインまでの長さがどこで計測しても同寸法となり、立位着用時の後ろ姿において、おしめ状のふくらみや垂れ下がったシルエットが生じることがなくファッション性を向上させることができる。また、余分な生地分量が存在せず、着用感をより一層向上させることができる。
【００３２】
また、請求項７項にあっては、前記生地は、前記縦地の目方向と横地の目方向の中間方向において、前記第１の伸縮度よりも大きく、かつ前記第２の伸縮度よりも小さい第３の伸縮度を有すると共に、前記第１および第２の所定の角度は、前記中間方向をなす角度であるように構成した。
【００３３】
前記生地は、前記縦地の目方向と横地の目方向の中間方向において、前記第１の伸縮度よりも大きく、かつ前記第２の伸縮度よりも小さい第３の伸縮度を有すると共に、前記第１および第２の所定の角度は、前記中間方向をなす角度であるように構成したので、ファッション性および着用感をより一層向上させることができる。
【００３４】
また、請求項８項にあっては、左右の身頃および前記左右の身頃の股ぐりと合成される股マチ布からなるトランクス型パンツであって、前記左右の身頃および股マチ布が、第１の伸縮度を有する縦地の目方向と、前記縦地の目方向と直交し、かつ前記第１の伸縮度よりも大きな第２の伸縮度を有する横地の目方向を備える生地を裁断して形成されるものにおいて、前記トランクス型パンツの立位着用時における前記左右の身頃の上下方向が前記横地の目方向となるように裁断されると共に、前記トランクス型パンツの立位着用時における前記股マチ布の前後方向が前記縦地の目方向となるように裁断されるように構成した。
【００３５】
左右の身頃および前記左右の身頃の股ぐりと合成される股マチ布からなるトランクス型パンツであって、前記左右の身頃および股マチ布が、第１の伸縮度を有する縦地の目方向と、前記縦地の目方向と直交し、かつ前記第１の伸縮度よりも大きな第２の伸縮度を有する横地の目方向を備える生地を裁断して形成されるものにおいて、前記トランクス型パンツの立位着用時における前記左右の身頃の上下方向および前記股マチ布の前後方向が、前記横地の目方向となるように裁断されるように構成したので、左右の身頃とは別体の股マチ布を備えるトランクス型パンツにおいても、ズボンの股ぐりに影響を受けることがなく、よってゴロツキや嵩張りを解消することができて着用感を向上させることができる。
【００３６】
また、請求項９項にあっては、前記左右の身頃は、身頃続きのサポータ部を備えると共に、前記サポータ部は、前記トランクス型パンツの立位着用時における上下方向が、前記横地の目方向となるように裁断されるように構成した。
【００３７】
前記左右の身頃は、身頃続きのサポータ部を備えると共に、前記サポータ部は、前記トランクス型パンツの立位着用時における上下方向が、前記横地の目方向となるように裁断されるように構成したので、内部にサポータを備えるパンツにおいても、ゴロツキや嵩張りを解消することができ、よってファッション性および着用感を向上させることができる。また、サポータを備えることから、ズボン股ぐりの干渉を吸収し、左右ヘムラインに吊り上がりの影響がなく股下寸法を確保することができると共に、男性局部をより快適に収容して支持することができる。
【００３８】
【発明の実施の形態】
以下、添付図面を参照してこの発明の一つの実施の形態を説明する。尚、図面において両矢印で図示するＹ方向（軸）は横地の目方向を、Ｘ方向（軸）は縦地の目方向をそれぞれ示す。
【００３９】
図１は本発明の一つの実施の形態に係るトランクス型パンツの左右身頃Ｌ，Ｒの裁断形状を示す、裏側（着用時に肌に接する面側）から見た各生地片の平面図である。
【００４０】
生地片Ｌ，Ｒはニット生地からなると共に、パンツの身頃を構成する一対の左身頃および右身頃であって左右非対称形状に裁断されてなり、身頃部Ｌ１，Ｒ１、見返しＬ２、持ち出しＲ２からなる。尚、ニット素材の伸縮特性（伸縮度）は、縦地の目方向では軽度の伸びでしっかりと安定し、それに直交する横地の目方向では柔軟で伸縮に優れ、また、両者の中間方向斜め４５度（バイアス地の目）では、前記両者の伸縮特性の中間である。本発明の実施の形態で用いるニット素材は、伸長応力（最大伸び率）が縦地の目＝１．３倍（前記した第１の伸縮度）、横地の目＝１．７倍（前記した第２の伸縮度）、バイアス地の目＝１．５倍（前記した第３の伸縮度）の特性を有する。
【００４１】
左身頃Ｌについて説明すると、身頃部Ｌ１は、後述の見返しＬ２の上端線７−９と連続する、後にウエストライン（履き口）となる直線辺たる上端線９−１１、後に後中心線となる直線辺たる１１−１２、後に左後股ぐり線となる１２−１４（前記した第２の後股ぐり線）、後にヘムライン（裾口）となる直線辺たる１４−１６、後に左後股ぐり線となる１６−１（前記した第１の後股ぐり線）、後に右身頃Ｒの対応する端縁と縫合され股ぐり線となる１−４、および図１に一点鎖線で示す線分４−９からなる。左身頃の残余の部分、即ち見返しＬ２は、前記した線分７−９および９−４、並びに４−５、５−７で画される矩形状の部分で、この見返しＬ２は後に折り返されて前開き口線（前中心）となる。また、１０−１５で示す破線は前身頃と後身頃を合成した脇部分である。
【００４２】
ここで、股ぐり線となる１−４のうちの直線３−４（前記した第１の直線部）と４−５とのなす角度が０度（即ち平行）である構造と前開き口付近の構造は、前記した特許第２７９４６５７号記載のものと同様の構造であるが、本発明で特徴的な点は、斜線（ハッチング）で示す略三角状の股ぐり分量が加えられていることである。尚、２−１６で示す二点鎖線部が、前記特許第２７９４６５７号記載のものの左後股ぐり線に対応する。
【００４３】
前記した股ぐり分量を形成する股ぐり線１−４について説明すると、股ぐり線１−４は、前記した直線３−４に連続しつつ２−３で示す凸状の部分曲線となるように角度が変化させられ、それに直線３−４に対して略４５度（前記した第１の所定の角度）をなす直線１−２（前記した第２の直線部）が連続する。さらに、直線１−２には、それと略直角（９０度）をなす左後股ぐり線１−１７が連続する。このように構成することで、股ぐり線は凸状の曲線となるように形成される、即ち、股ぐりを凹凸状に変形させることができ、よってズボンを重ね着した際などに、股ぐりやヘムラインが広がらず、初期形状を保つので、着用感も良く、ファッション性も向上させることができる。尚、以上の構成についてのさらなる特徴を、後述する図１１などにおいて詳説する。
【００４４】
また、図示の如く、左右の身頃Ｌ，Ｒは、パンツの立位着用時における横方向が生地の縦地の目方向に、同じく上下方向が生地の横地の目方向になるように裁断されるので、ズボン着用時などにズボンの股ぐり構造に適応する股下形状とすることができ、よって、ゴロツキや嵩張りを解消することができると共に、ファッション性や着用感が低下することがない。
【００４５】
さらに、直線１−２は、両矢印で図示するＹ方向（Ｙ軸。横地の目方向）に対して垂直に形成される直線３−４、即ちＸ方向（Ｘ軸。縦地の目方向）に対し、略４５度の角度（バイアス地の目）で形成され、１−１７で示す左後股ぐり線とのなす角度が略９０度（バイアス地の目）となるように形成されているため、しっかりとしながら柔軟な伸縮が得られ、股ぐりのサポート性を向上させることができ、よって着用感を向上させることができる。さらには、柔軟な伸縮が得られることから、余分な生地分量を必要とせず、よってファッション性も向上させることができる。
【００４６】
続けて左身頃Ｌについて説明すると、後に前開き口線（前中心）となる４−９、後に後中心線となる直線辺たる１１−１２の端縁は正しくＹ方向（Ｙ軸）と平行に構成されている。また、後にウエストラインとなる直線辺たる９−１１、後にヘムラインとなる直線辺たる１４−１６の端縁は、正しくＸ方向（Ｘ軸）と平行となるように構成されている。
【００４７】
即ち、柔軟な伸縮が得られる横地の目（Ｙ方向）を、後中心線となる直線辺たる１１−１２の端縁に構成することで、股間部、特に臀部部分に座位着用時に必要とされる生地分量が存在しないので、後述する後身頃ヘムライン１４−１５が前身頃ヘムライン１５−１６と連続して直線辺の端縁で形成され、かつ、その端縁は正しく縦地の目（Ｘ方向）と平行となるように構成される。
【００４８】
このように構成することで、履き口（ウエストライン）と裾口（ヘムライン）が平行に形成されるので、パンツ着用時におけるウエストラインからヘムラインまでの長さがどの位置で計測しても同寸法となり、立位着用時の後ろ姿において、おしめ状のふくらみや垂れ下がったシルエットが生じることがなく、よってファッション性を向上させることができる。また、余分な生地分量が存在せず、着用感をより一層向上させることができる。
【００４９】
また、１２−１３−１４で示す左後股ぐり線のうち、直線１２−１３（前記した第３の直線部）は、後中心線１１−１２に対して略１３５度（前記した第２の所定の角度。バイアス地の目方向）となるように形成されているため、後に縫合される前記１−１７の左後股ぐり線と同様の伸縮が得られる。また、直線１２−１３に連続する１３−１４は凹状の部分曲線によって後中心寄りに湾曲状に変化し、かつその端縁が横地の目方向に略平行となるように構成したので、横地の目に、ほぼ近い伸縮を持った端縁が得られ、しっかりとしながら柔軟な伸縮特性を有した、つっぱり感のない後股ぐりを形成することができる。
【００５０】
尚、右身頃Ｒについては、上述した左身頃Ｌの身頃部Ｌ１の説明が大略妥当するので、同一符合にダッシュ( ’) を付して説明を省略する。
【００５１】
図２は、右身頃Ｒの加工を示す説明図である。同図に示すように、右身頃Ｒの持ち出しＲ２を、図１に８−６で示す直線辺を１cm縫い代として折り、さらに破線で示す線分９’−４’に合致させつつ本縫いミシンで縫合して持ち出しの部分縫いを完了したものである。尚、これによって新たに形成される直線辺（折り返し線）を１８−１９で示す。
【００５２】
尚、図１などにおいて、左身頃Ｌの見返し下端縁４−５と股ぐりの一部３−４の間、右身頃Ｒの持ち出し下端縁４’−６と股ぐりの一部３’−４’の間に隙間があるように示されるが、これは図示の便宜のためであり、実際には隙間は存在しない。
【００５３】
図３は、図２の部分縫いの完成した右身頃Ｒを裏返し（図３で見える面は表面を示す）、それに合致させた左身頃Ｌ（図３で見える面は裏面を示す）の５−７直線辺を１cm縫い代として折った、本発明の特徴的な縫着技術（後述）となる形状をより明確に示すための説明図である。同図において、左身頃Ｌと右身頃Ｒを合致させて重ねた状況を表現するため、５−７を曲線で示すが、これは理解の便宜のためであり、実際には直線辺を１cm縫い代として折り返している。
【００５４】
図４は、左右身頃Ｌ，Ｒを縫合する手法を示す説明図であるが、同図に示すように、左右身頃の見返しおよび持ち出しの下端線の縫合と、前記左右身頃の股ぐり線の縫合とが、１本の連続した縫合となるように構成される。より詳しくは、図３で合致させて重ねた４，４’を支点として５，１９および３，３’を引き延ばし、具体的には、図３で４，４’を中心として３，３’−４，４’を図中時計回りに１８０度回転させることにより、２本の線分３，３’−４，４’と４，４’−５，１９の交差角度を０度から１８０度に変更して図４に示すような連続する１本の線とし、二本針オーバーロックミシンによって一度の工程で裁ち端のかがり縫いおよび縫着を完了する。尚、４および４’の支点部に０．５cm程度の切り込みを入れることにより、作業性を向上させることができる。
【００５５】
以上のように構成することで、裁ち端を効率よく処理できて当て布などの始末布が不要となり、ゴロツキ、嵩張りが発生せず、装着感を向上することができる。また、前開き口を形成する位置の自由度が高くなる、より具体的には、前開き口を股ぐりの最上点まで開口させることができることから、前開き口を男性局部に対応する適正位置に形成することができ、よって男性局部の取り出しを容易にすると共に、釦で開閉する必要のない範囲まで小さく（狭く）形成することができる。
【００５６】
尚、従来技術においては、図３に示すような重ねて合致させる構造、即ち、一度の工程で裁ち端を完全にかがり縫いすることのできる構造がなく、裁ち端が処理できないため、当て布などの始末布が必要であり、縫い目および縫い代が増してゴロツキ、嵩張りが発生し、装着感が低下すると共に、さらに前開き口の位置が高くなる原因となっていた。
【００５７】
図５は、図４で説明した縫着形状を示し、変形もなく一度の工程で製作した、見返しおよび持ち出しの下端４，４’−５，５’、および股ぐり１，１’−４，４’の説明図である。股ぐり線を上述の如く構成したことから、同図に示すように、股ぐりＣが３，３’−２，２’の部分で凸状に形成されるような、本願の特徴的な形状となる。
【００５８】
図６は、左右の身頃Ｌ，Ｒの縫合後の立体形状を示す説明図であり、図７は図６の股ぐりＣの要部を拡大した左右身頃Ｌ，Ｒの縫合後における縫合部の始末縫いを示す、要部拡大説明図である。図６および７に示すように、図５の状態を左右に開き、縫着された見返しおよび持ち出しを左身頃Ｌ側に倒し、前開き口を股ぐりの最下点に形成すると共に、縫い代のゴロツキ、嵩張りを解消するため、本縫いミシンにより、１９，５から４’，４を経由し、１，１’に至る縫い代の始末縫いを施す。
【００５９】
また、同図に良く示すように、前記した本発明の特徴的な構造にあっては、左右身頃Ｌ，Ｒにおいて股ぐりを形成する股ぐり線１−４，１’−４’が、従来技術の凹状股ぐり線と異なり、正反対の凸状の股ぐり線で形成されるので、角度０度で形成された股ぐりと見返しおよび持ち出しのシンプルな構成となり、不必要な縫い目や縫い代をなくすことができる。
【００６０】
図８は、図６の状態を裏返して表側から前開き口（符合Ｈで示す）を完成するために、本縫いミシンによる９，９’−２１および２２を経由して７，１８に至る前開き口上部の仕上げ縫いを示す、完成した前開き口の形状を示す表側（着用時の表側）から見た説明図である。ここで、図７に関して説明した１９，５−４’，４の間で形成された始末縫い線に平行に、本縫いミシンにて０．５cm幅の補強縫い２０を施し、前開き口Ｈ、および股ぐりＣを備えた２枚仕立て身頃の前開き口周辺部を完成する。
【００６１】
同図からよくわかるように、前開き口Ｈは、股ぐり線の最上点（パンツの立位着用時における最上点）たる４，４’まで開口される。このように構成することで、前開き口Ｈを男性局部に対する適正位置に形成することができ、よって男性局部の取り出しを容易にすると共に、釦で開閉する必要のない範囲まで小さく（狭く）形成することができる。尚、前開き口Ｈの前立て幅Ｗは約４cm、前開き口高さＨは約９cmとする。
【００６２】
図９は、左右身頃Ｌ，Ｒの後中心の縫合後の状態を示す説明図である。同図は、図８の状態に左右身頃の両表面同士を合わせ、左身頃裏面側から見た図であり、１１，１１’−１２，１２’が縫合され後中心線Ｄとなった状態を示している。同図において、股ぐり部の状態を斜線（ハッチング）で示す。
【００６３】
また、前記した凸状の股ぐりで形成されている股ぐり線（曲線。符合Ａで示す）は、４，４’から１，１’に結ばれた直線に対し、Ａｍａｘ部分が最大股ぐり高さとなって、ハッチングで図示した可動分量（後述）が形成されたことを示している。
【００６４】
図１０は、左右股ぐり縫合後の状態をパンツ背面の斜め上方から示す説明図であり、１４−１２，１２’−１４’と１６−１，１’−１６’の両表面同士を合わせ、縫合して形成された後股ぐり（符合Ｅで示す）を示している。尚、この状態でウエストラインＷＬおよびヘムラインＬＨ，ＲＨの仕上げ縫い作業を残し、パンツ本体は完成している。
【００６５】
図１１は、完成した股ぐりの要部の状態を右斜め上方からハッチングで示す部分説明図である。同図において、ハッチング（斜線）部分は図９について述べた股ぐり曲線Ａが可動する分量を示す。また、小格子部ＣＢは、股ぐり線の垂下方向への可動分量を示し、その最大垂下股ぐり高さをＢｍａｘで示す。即ち、可動分量は、４，４’から１，１’に結ばれた直線に対し、最大股ぐり高さＡｍａｘから最大垂下股ぐり高さＢｍａｘの範囲となる。尚、図６で述べた従来技術の凹状股ぐりとは、最大垂下股ぐり高さＢｍａｘに相当すると言うことができる。
【００６６】
従来技術のように、凹状股ぐり（最大垂下股ぐり高さＢｍａｘ）で形成されているパンツの場合、重ね着したズボン（図示せず）の股ぐりから干渉を受け、Ｂｍａｘが吊り上げられるため、右ヘムラインＲＨ（左ヘムラインＬＨも同様）が同寸法分吊り上げられて股下寸法が不足し、股ぐりは嵩張って着用感が著しく低下する不都合があった。
【００６７】
これに対し、この実施の形態においては上記のように構成したので、パンツ着用時にズボンを重ね着した際にあっても、股ぐり線が最大股ぐり高さＡｍａｘまで可動するため、重ね着したズボン股ぐりの干渉（食い込み現象）を吸収して機能性を維持する、別言すれば、左右ヘムラインに吊り上がりの影響なく、股下寸法を確保すると共に、着用感を向上させることができる。
【００６８】
図１２は、図１１のＢｍａｘ状態の内側をパンツ上方から示す説明図であり、股ぐりの高さを稜線で示す。同図において、３，３’−２，２’が最深部であり、その外周側へ行くほど浅くなる（図９に示す４，４’から１，１’に結ばれた直線の高さに近付く）。通常のパンツ着用時に最大に垂下したＢｍａｘ状態の股ぐりＣの周辺は、ＬＣで示す垂下左縁とＲＣで示す垂下右縁を形成し、ハンモック状の形態が構成され、「男性局部」の保持安定性を向上させることができる。
【００６９】
図１３は、図１２の状態を後方から見た部分透視図である。垂下左縁ＬＣと垂下右縁ＲＣは二点鎖線で示すと共に、Ｂｍａｘ状態の股ぐりは垂下した状態で示す。
【００７０】
図１４は、股ぐりＣが最大股ぐり高さＡｍａｘとなった状態を左斜めの略上部後方から示す部分透視図であり、曲線３，３’−２，２’が最大股ぐり高さＡｍａｘに位置した状態を示す。
【００７１】
図１５は、前記図１４の最大高股ぐり曲線Ａｍａｘ状態をパンツ上方から見た状態を示す説明図であり、図１１で説明した重ね着したズボンの股ぐりの干渉を吸収した状態を示す。尚、図１５は、図１２で述べた最大垂下股ぐり高さＢｍａｘ状態の、垂下左縁ＬＣと垂下右縁ＲＣが、Ａｍａｘ状態まで変化した状態を示す。
【００７２】
図１６は、前記図１５の状態をパンツ左斜め上部後方から示す全体透視図であり、股ぐりＣが最大股ぐり高さＡｍａｘに位置して凸状を呈した状態を示す。
【００７３】
図１７は、ウエストラインとヘムラインの仕上げ縫いを残して完成したパンツ本体の後身頃部（左右身頃Ｌ，Ｒからなる背面）を示す背面図である。前記したズボン股ぐり構造に適応して股下が形成されたことが、Ｂｍａｘ位置から明らかである。また図１８はパンツ本体の前身頃部（左右身頃Ｌ，Ｒからなる前面）を示す正面図であり、図１７と同様に、Ｂｍａｘ位置により形成された股下を示す。
【００７４】
図１９は、従来一般に見受けられるパンツの左身頃形状（破線ａで示す）を、本発明の一つの実施の形態に係る左身頃形状Ｌと対比した図である。従来の一般的なパンツにあっては、１０−１５で示す破線は着用時に左脇に位置する脇線であって、左前身頃と後身頃を縫合してなる左脇縫い目線の場合がほとんどであり、１１−１２−Ｔ１２で示す直線辺は後中心線、即ち着用時には体の背面中心に位置すると共に、この後中心線を軸としてＴ１２−Ｔ１４−１５−１０−１１の形状が反転複製され、１枚身頃の後身頃となった形状となる。尚、同図においては対比のための左後身頃部半身を示した。
【００７５】
同図から明らかなように、本発明の特徴的な形状である凸状の股ぐりＣ（１−２−３−４の辺）は、一般的なパンツの凹状股ぐり辺（破線Ｔ１−４）とは大きく相違する。
【００７６】
また、本発明に係る後股ぐり１２−１３−１４は縦長形状に構成されるのに対し、一般的なパンツの後股ぐりＴ１２−Ｔ１４は横長形状に構成される点においても相違する。また、一般的なパンツの後中心線１１−１２−Ｔ１２の長さは破線部分１２−Ｔ１で本発明の後股ぐりに対して約１０cm程度長く形成される点でも相違する。さらに、本発明に係る左ヘムラインＬＨは、ウエストラインＷＬと平行となる１４−１６の端縁線で形成されるのに対し、一般的なパンツにおいては左ヘムラインＴＬＨはＴ１４−Ｔ１６の如く凹状に形成される点でも相違する。このように、一般的なパンツの後股ぐり１２−Ｔ１２−Ｔ１４−１５は、本発明に係る後股ぐり１２−１３−１４−１５に比較して生地分量が多く、また、明らかな形状の違いを示す。
【００７７】
図２０は、図１９で述べた本発明に係るパンツの股ぐり周辺形状と、一般的なパンツにおける形状を、完成したパンツ本体左身頃部分で対比して示す上面説明図である。同図の破線ＴＥが、縫合後に形成された一般的なパンツの後股ぐりの位置である。この後股ぐり位置ＴＥは、股間部のほぼ真下に位置するため、形状として股下を構成することは不可能であると共に、一般的なパンツの左ヘムラインＴＬＨ位置周辺は、ハッチング（斜線）で示すように生地分量が多いため、股間部が広く構成される。
【００７８】
図２１は、図２０における対比と同様な対比を行うための背面説明図である。破線で示す一般的なパンツの後股ぐり位置ＴＥは、垂れ下がって発生した折れ曲がり（実線ではない）Ｔの中に隠れて存在すると共に、股ぐり周辺には生地分量が多いため、おしめ状のふくらみが形成され、よってパンツの立位着用時の後ろ姿のシルエットの悪化、およびゴロツキや嵩張りの原因となっていた。
【００７９】
このような一般的なパンツの不具合は、座位着用時に発生するつっぱり（分量不足）を解消するため、生地の分量を座位着用時の必要分量で設定し、後身頃中心部（特に股間部周辺）を縦方向に長くする必要があったために生じたものである。しかしながら、パンツの立位着用時、あるいは歩行時には不要の分量となるため、上記した後ろ姿のシルエットの悪さと着用時のゴロツキや嵩張りが否めなかった。これに対して本発明に係るパンツにあっては、上述のように構成したことから、股下が形成された後股ぐり（符合Ｅで示す）が形成され、よってパンツの立位着用時の後ろ姿のシルエットを向上させ、さらに着用時のゴロツキや嵩張り解消することができる。
【００８０】
図２２は、ウエストラインとヘムラインの仕上げ縫いを完了して完成したトランクス型パンツの正面図である。同図に示すように、立位時の股間から高さＨの位置に幅Ｗの前開き口が形成される。尚、両ヘムラインＲＨ，ＬＨの両脇が上方に上がっているのは、ウエストラインＷＬにゴム縫着された状態で形成されるシルエットであって、ウエストラインＷＬおよびヘムラインＲＨ，ＬＨは設計通り縦地の目方向（Ｙ軸）に平行に構成されている。
【００８１】
図２３は完成したトランクス型パンツの背面図であり、ウエストラインＷＬおよびヘムラインＲＨ，ＬＨは正面図同様に設計通りの縦地の目方向（Ｙ軸）に平行に構成されており、股下および、後股ぐりが明確に構成されて完成していることも同様である。尚、ウエストラインおよびヘムラインが縦地の目方向に平行に構成される横地の目裁断部品において、縦地の目で形成された股ぐりの一部とヘムラインは、前記した１．３倍の軽度なしっかりと安定した伸縮特性（伸縮度）となる。
【００８２】
図２４は、完成した本発明に係るトランクス型パンツを、着用して座った状態（座位着用時）を示す説明図である。尚、二点鎖線は人体シルエットである。同図にＳで示す曲線は、ウエストを固定してパンツ座位着用時に発生するつっぱり方向を示しており、この方向（即ち後中心線と平行な方向）に発生する伸びは、日本人の平均的男性体型（身長１７０cmＡ体）の計測値で約７cm程度とされる。
【００８３】
上記したように、本発明に係るパンツにおいては、後中心線が横地の目方向と平行に形成されているため、１．７倍の柔軟な伸縮特性（伸縮度）によって座位時に発生する伸びを吸収することができ、よってウエストラインＷＬおよびヘムラインＬＨ（ＲＨ）につっぱりによる影響が生じることがない。また、後中心線付近が伸びきったままの状態になることもない。
【００８４】
次いで、図２５から図３２を参照し、本発明の第２の実施の形態に係るトランクス型パンツについて説明する。
【００８５】
図２５は、本発明の第２の実施の形態に係るトランクス型パンツの左身頃ＭＬの裁断形状を示す、裏側（着用時に肌に接する面側）から見た生地片の平面図、図２６は、第２の実施の形態のトランクス型パンツの右身頃ＭＲの裁断形状を示す、裏側（着用時に肌に接する面側）から見た生地片の平面図、図２７は、第２の実施の形態に係るトランクス型パンツの股マチ布Ｍの裁断形状を示す、裏側（着用時に肌に接する面側）から見た生地片の平面図である。
【００８６】
生地片ＭＬ，ＭＲはニット生地からなり、パンツの身頃を構成する一対の左身頃および右身頃であり左右身頃は略対称形状に裁断されると共に、左身頃部ＭＬ１、右身頃部ＭＲ１、見返しＭＬ２、持ち出しＭＲ２からなる。
【００８７】
左身頃ＭＬについて説明すると、身頃部ＭＬ１は後述の見返し部ＭＬ２の上端線５３−５４連続する、後にウエストラインとなる直線辺たる上端線５５−５６、後に後中心線となる直線辺たる５６−５７、後に左後股ぐりの一部となる５７−６０、後にヘムラインとなる直線辺たる６０−６２、後に左後股ぐり線の一部となる６２−５１、後に右身頃Ｒの対応する端縁と縫合され股ぐりとなる５１−５２、および一点鎖線で示す線分５１−５４からなる。左身頃の残余の部分、即ち見返しＭＬ２は前記した線分５３−５４および５４−５１、並びに５１−５２、５２−５３で画される略矩形状の部分で、この見返しＭＬ２は後に折り返され、前開き口線（前中心）となる。また、破線５５−６１は第１の実施の形態と同様、前身頃と後身頃を合成した脇部分を示す。
【００８８】
さらに左身頃ＭＬについて説明すると、後に前開き口線（前中心）となる５１−５４、後に後中心線となる直線辺たる５６−５７の端縁は、正しくＹ方向（Ｙ軸）と平行となるように構成されている。また、後にウエストラインとなる直線辺たる５４−５６、後にヘムラインとなる直線辺たる６０−６２の端縁も、正しくＸ方向（Ｘ軸）と平行となるように構成されている。
【００８９】
このように、柔軟な伸縮が得られる横地の目を、後中心線となる直線辺たる５６−５７の端縁に構成することから、股間部、特に臀部部分に座位着用時に必要とされる生地分量が存在しないので、後述する後身頃ヘムライン６０−６１が前身頃ヘムライン６１−６２と連続して直線辺の端縁で形成され、なおかつ、その端縁は正しくＸ方向（Ｘ軸）と平行に構成される。
【００９０】
尚、右身頃ＭＲについては、前記左身頃ＭＬの身頃部の説明が、大略妥当するので、同一符合にダッシュ( ’) を付して説明を省略する。
【００９１】
このように、柔軟な伸縮が得られる横地の目を、後中心線となる直線辺たる５６−５７と平行に構成するので、第１の実施の形態と同様に、股間部、特に臀部部分に座位着用時に必要とされる生地分量が存在しないため、パンツの立位着用時の後ろ姿においても、おしめ状のふくらみや垂れ下がったシルエットが生じることがなく、ファッション性に優れたパンツとすることができる。また、余分な生地分量が存在せず、着用感を向上させることができる。
【００９２】
次いで、図２７を参照して、股マチ布について説明する。
【００９３】
生地片Ｍは、内股および股間部に位置する股マチ布であり、図示のようにゆるやかな凸弧状の曲線片で後に前身頃の左前股下５１−６２、および右前股下５１’−６２’と縫合される上端縁７５−７１、ゆるやかな凹弧状の曲線片で後に左脚口裾（ヘムライン）の一部となる左側端縁７１−７２、ゆるやかな凸弧状の曲線片で後に左身頃の左後股下５７−６０、および右後股下５７’−６０’と縫合される下端縁７２−７４、ゆるやかな凹弧状の曲線片で後に右脚口裾（ヘムライン）の一部となる右側端縁７４−７５で形成される。同図に一点鎖線で示す線分７０−７３は後に左右身頃ＭＬ，ＭＲが逢着された際、股間部の中心、即ち体の左右の中心に位置する部分を示す。尚、図２７において生地片Ｍの裁断形状は生地面を裏側（パンツ完成時の内側）から示したものである。
【００９４】
また、生地片Ｍの生地の地の目の方向は、パンツ完成時の前後方向がＹ方向（Ｙ軸）と平行となると共に、左右方向は、Ｘ方向（Ｘ軸）と平行となるように裁断される。
【００９５】
図２８は、第２の実施の形態に係るトランクス型パンツの左身頃Ｌの生地片と、従来の一般的なパンツの左身頃（破線ｂで示す）を対比して示す説明図である。同図に良く示すように、本発明と従来の一般的なパンツとでは、上記した図１９と同様な構成の違いを有する。
【００９６】
図２９は、第２の実施の形態に係るパンツ左身頃ＭＬの加工を示す説明図である。同図に示すように、左身頃ＭＬの持ち出しＭＬ２は、５３−５２の直線辺を縫い代として折り、さらに一点鎖線で示す線分５４−５１に合致させつつ本縫いミシンによって縫合し、持ち出しの部分縫いを完了したものである。これにより新たに形成される直線辺（折り返し線）を６６−６５で示す。尚、これより先、縫合完了までの工程は、第１の実施の形態での説明が略妥当するので、ここでの詳細な説明は省略する。
【００９７】
図３０は、ヘムラインＭＬＨ，ＭＲＨとウエストゴム縫着の始末縫いが未処理状態での、股マチ布Ｍが縫合された内側をパンツ上方から示す説明図である。同図に良く示すように、股間部、特に臀部部分に座位着用時に必要とされる生地分量が存在しない。よってパンツ立位着用時の後ろ姿にあっては、おしめ状のふくらみと、垂れ下がったシルエットは生じない。
【００９８】
図３１は、ヘムラインＭＬＨ，ＭＲＨとウエストゴム縫着の始末縫いが施され、完成した第２の実施の形態のトランクス型パンツを正面から見た正面図、図３２は、同じく完成したトランクス型パンツを後方から見た背面図である。
【００９９】
図３１および図３２に示す如く、パンツ前面には、前開き口高さＭＨが例えば９cm、前立て幅ＭＷが例えば４cmの前開き口が形成される。また、股マチ布Ｍが股下に位置していることがわかる。尚、両ヘムラインＭＲＨ，ＭＬＨが両脇で上方に上がっているのは、ウエストラインＭＷＬにゴム縫着された状態における形状であり、ウエストラインＭＷＬおよびヘムラインＭＲＨ，ＭＬＨは設計通り縦地の目方向（Ｘ軸）に平行に構成されている。
【０１００】
前記したように、生地片Ｍの生地の地の目の方向は、パンツ完成時（より詳しくはその立位着用時）の前後方向がＹ方向（Ｙ軸）と平行となると共に、股間部の中心、即ち体の左右の中心に位置する部分から左右方向（立位着用時にあっては上下方向）は、Ｘ方向（Ｘ軸）と平行となるように裁断されるので、生地片Ｍは図３１および図３２において上下方向（股間直下においては左右方向）に柔軟に伸縮する。このため、生地片Ｍは第１の実施の形態における股ぐりと同様に機能する。即ち、ズボン股ぐりの干渉を吸収し、左右ヘムラインに吊り上がりの影響がなく、股下寸法を確保することができる。
【０１０１】
次いで、図３３および３４を参照し、本発明の第３の実施の形態に係るトランクス型パンツについて説明する。
【０１０２】
図３３は、本発明の第３の実施の形態に係るトランクス型パンツの左身頃ＳＭＬの裁断形状を示す、裏側（着用時に肌に接する面側）から見た生地片の平面図である。また、図３４は、第３の実施の形態に係るトランクス型パンツの右身頃ＳＭＲの裁断形状を示す、裏側（着用時に肌に接する面側）から見た生地片の平面図である。
【０１０３】
第３の実施の形態に係るパンツの特徴的な点は、第２の実施の形態に係るパンツの構成に加え、男性局部が収容されて支持されるスペース（サポータ）を持つことである。そのため、この実施の形態における左右身頃ＳＭＬ，ＳＭＲを第２の実施の形態に係る左右身頃ＭＬ，ＭＲと比較すると、見返しＭＬ２、持ち出しＭＲ２に代えて、辺８１−８２−８３−８４からなる身頃続きの左サポータ部ＳＰＬおよび辺８１’−８２’−８３’−８４’からなる身頃続きの右サポータ部ＳＰＲを備える。
【０１０４】
また、図３３および３４から明らかなように、左右サポータ部ＳＰＬ，ＳＰＲは、パンツの立位着用時における上下方向が、前記Ｙ方向（Ｙ軸）と平行となるように構成されると共に、前後方向が前記Ｘ方向（Ｘ軸）と平行となるように構成される。
【０１０５】
これにより、第１および第２の実施の形態と同様に、股間部、特に臀部部分に座位着用時に必要とされる生地分量が存在しないため、パンツの立位着用時の後ろ姿においてもおしめ状のふくらみや垂れ下がったシルエットが生じることがなく、ファッション性に優れたパンツとすることができる。また、余分な生地分量が存在せず、着用感を向上させることができる。
【０１０６】
ここで、サポータの形成について簡単に説明すると、左右サポータ部ＳＰＬ，ＳＰＲの凹状の曲線辺８３−８４，８３’−８４’が縫合されず（開口を形成し）、辺８３−８２が辺８３’−８２’に縫合され、直線辺８１−８４が後に左ウエストラインＷＬとなる直線辺５４−５６の一部に縫合され、直線辺８１’−８４’が後に左ウエストラインとなる直線辺５４−５６の一部に縫合されることにより、男性局部を収容可能なサポータ（完成図は省略する）が形成される。尚、第３の実施の形態に係るパンツは、左右サポータ部ＳＰＬ，ＳＰＲの構成を除いて、第２の実施の形態に係るパンツと何ら異ならないため、その他の部分（股マチ布Ｍなど）の説明および図示を省略すると共に、サポータを形成する工程については、本出願人が先に出願した特開平１０−２３７７０２号に記載されているため、詳細な説明を省略する。
【０１０７】
尚、第３の実施の形態に係るパンツにあっては、第２の実施の形態に係るパンツの構成に加えて男性局部を収容可能なサポータを有するため、ズボン股ぐりの干渉を吸収し、左右ヘムラインに吊り上がりの影響がなく股下寸法を確保することができると共に、男性局部をより快適に収容することができる。
【０１０８】
以上のように、本発明の実施の形態にあっては、左右の身頃Ｌ，Ｒからなるトランクス型パンツであって、前記左右の身頃のいずれか一方が、前記一方の股ぐり線と略平行（角度０度）な下端線４−５を有する身頃続きの見返しＬ２を備えると共に、その他方が、前記他方の股ぐり線と略平行（角度０度）な下端線４’−６を有する身頃続きの持ち出しＲ２を備え、前記見返しと前記持ち出しにより前開き口Ｈが形成されるものにおいて、前記左右の身頃の股ぐり線は、前記見返りおよび持ち出しの下端線と略平行な第１の直線部３−４，３’−４’、前記第１の直線部に連続される凸状の曲線部２−３，２’−３’、および前記第１の直線部に対し、第１の所定の角度（略４５度）をなして前記凸状の曲線部に連続される第２の直線部１−２，１’−２’、からなると共に、前記第２の直線部には、さらに、略直角をなして前記左右の身頃の第１の後股ぐり線１−１６，１’−１６’が連続して形成されるように構成した。
【０１０９】
また、前記見返しおよび持ち出しの下端線と、前記左右の身頃の股ぐり線が、連続して縫合される（図４の１，１’−５，１９線）ように構成した。
【０１１０】
また、前記前開き口は、前記トランクス型パンツの立位着用時における前記股ぐり線の最上点４，４’まで開口されるように構成した。
【０１１１】
また、前記左右の身頃は、第１の伸縮度（１．３倍）を有する縦地の目方向（Ｘ方向（Ｘ軸））と、前記縦地の目方向と直交し、かつ前記第１の伸縮度よりも大きな第２の伸縮度（１．７倍）を有する横地の目方向（Ｙ方向（Ｙ軸））を備える生地（ニット生地）を裁断して形成されると共に、前記トランクス型パンツの立位着用時における横方向が縦地の目方向となるように裁断されるように構成した。
【０１１２】
また、前記左右の身頃の後股ぐりは、前記第２の直線部に連続する第１の後股ぐり線と、前記左右の身頃の後中心線１１−１２，１１’−１２’に連続する第２の後股ぐり線１２−１４，１２’−１４’を縫合することによって形成されると共に、前記第２の後股ぐり線は、前記後中心線に対し、第２の所定の角度（１３５度）をなして連続される第３の直線部１２−１３，１２’−１３’、および前記第３の直線部と連続され、かつ前記後中心線寄り（後中心線の延長線方向）に変化すると共に、前記横地の目方向と略平行な端縁を有する凹状の曲線部１３−１４，１３’−１４’、からなるように構成した。
【０１１３】
また、前記トランクス型パンツの履き口（ウエストラインＷＬ（９−１１，９’−１１’））および裾口（ヘムラインＬＨ，ＲＨ（１４−１６，１４’−１６’））を形成する部分の裁断方向が、前記縦地の目方向と平行に形成されるように構成した。
【０１１４】
また、前記生地は、前記縦地の目方向と横地の目方向の中間方向（バイアス方向。４５度あるいは１３５度）において、前記第１の伸縮度よりも大きく、かつ前記第２の伸縮度よりも小さい第３の伸縮度（１．５倍）を有すると共に、前記第１および第２の所定の角度は、前記中間方向をなす角度（４５度あるいは１３５度）であるように構成した。
【０１１５】
また、左右の身頃ＭＬ，ＭＲおよび前記左右の身頃の股ぐり５７−６０，５７’−６０’，５２−６２，５２’−６２’と合成される股マチ布Ｍからなるトランクス型パンツであって、前記左右の身頃および股マチ布が、第１の伸縮度（１．３倍）を有する縦地の目方向（Ｘ方向（Ｘ軸））と、前記縦地の目方向と直交し、かつ前記第１の伸縮度よりも大きな第２の伸縮度（１．７倍）を有する横地の目方向（Ｙ方向（Ｙ軸））を備える生地（ニット生地）を裁断して形成されるものにおいて、前記トランクス型パンツの立位着用時における前記左右の身頃の上下方向および前記股マチ布の前後方向が、前記横地の目方向となるように裁断されるように構成した。
【０１１６】
また、前記左右の身頃は、身頃続きのサポータ部ＳＰＬ，ＳＰＲを備えると共に、前記サポータ部は、前記トランクス型パンツの立位着用時における上下方向が、前記横地の目方向となるように裁断されるように構成した。
【０１１７】
尚、上記において、前立て幅Ｗを約４cm、前開き口高さＨを約９cmとしたが、それに限られるものではなく、任意の値としてよい。
【０１１８】
また、上記した構成を基本としてパンツ丈を自由な長さに設定する、あるいはヘムライン長さを変化させ、広く、あるいは狭くするなどの多様化が可能である。特に、膝位置より長く設計されるパンツ丈においては、前記した横地の目の１．７倍の柔軟な伸長応力によって、屈伸（膝曲げ）時の機能性は非常に優れたものとなる。
【０１１９】
【発明の効果】
請求項１項にあっては、股ぐり線が凸状の曲線に形成される、即ち、股ぐりが凹凸状に変形することができ、よってズボンを重ね着した際などに、股ぐりやヘムラインが広がらず、初期形状を維持するので、着用感も良く、ファッション性も向上させることができる。
【０１２０】
さらに、前開き口を男性局部まで下げ、男性局部の取り出しを容易にすることができる。また、股ぐり、見返しおよび持ち出しがシンプルな構造となり、不必要な縫い目や縫い代をなくすことができる。
【０１２１】
また、請求項２項にあっては、裁ち端を効率よく処理できて当て布などの始末布が不要となり、ゴロツキ、嵩張りが発生しない。また、装着感を向上することができると共に、前開き口を形成する位置の自由度を高くすることができる。
【０１２２】
また、請求項３項にあっては、前開き口を男性局部に対する適正位置に形成することができ、よって男性局部の取り出しを容易にすると共に、釦で開閉する必要のない範囲まで小さく（狭く）形成することができる。
【０１２３】
また、請求項４項にあっては、ズボン着用時などにズボンの股ぐり構造に適応する股下形状とすることができ、よって、ゴロツキや嵩張りを解消することができると共に、ファッション性や着用感を低下させることがない。
【０１２４】
また、請求項５項にあっては、股ぐりの後方部分（後股ぐり）が後中心線寄りに湾曲状に変化し、かつ横地の目にほぼ近い伸縮を持った端縁が得られ、よってしっかりとしながら柔軟な伸縮を有しつつ、つっぱり感のない後股ぐりを形成することができる。
【０１２５】
また、請求項６項にあっては、履き口（ウエストライン）と裾口（ヘムライン）が平行に形成されるので、パンツ着用時におけるウエストラインからヘムラインまでの長さがどこで計測しても同寸法となり、立位着用時の後ろ姿においてもおしめ状のふくらみや垂れ下がったシルエットが生じることがなくファッション性を向上させることができる。また、余分な生地分量が存在せず、着用感をより一層向上させることができる。
【０１２６】
また、請求項７項にあっては、ファッション性および着用感をより一層向上させることができる。
【０１２７】
また、請求項８項にあっては、左右の身頃とは別体の股マチ布を備えるトランクス型パンツにおいても、ズボンの股ぐりに影響を受けることがなく、よってゴロツキや嵩張りを解消することができて着用感を向上させることができる。
【０１２８】
また、請求項９項にあっては、内部にサポータを備えるパンツにおいても、ゴロツキや嵩張りを解消することができ、よってファッション性および着用感を向上させることができる。また、サポータを備えることから、ズボン股ぐりの干渉を吸収し、左右ヘムラインに吊り上がりの影響がなく股下寸法を確保することができると共に、男性局部をより快適に収容して支持することができる。
【図面の簡単な説明】
【図１】本発明の一つの実施の形態に係るトランクス型パンツの左右身頃の裁断形状を示す平面図である。
【図２】図１に示す右身頃の加工を示す説明図である。
【図３】図１に示す左右身頃を合致させた状態示す説明図である。
【図４】図１に示す左右身頃の縫合を示す説明図である。
【図５】図４で示した左右身頃の縫合後の形状を示す説明図である。
【図６】図１に示す左右身頃の縫合後の立体形状を示す説明図である。
【図７】図６に示す股ぐりの要部を拡大した左右身頃の縫合後における縫合部の始末縫いを示す要部拡大説明図である。
【図８】図６に示す状態を裏返し、完成した前開き口の形状を示す説明図である。
【図９】図１に示す左右身頃の後中心の縫合後の状態を示す説明図である。
【図１０】左右股ぐり縫合後の状態をトランクス型パンツの後方の斜め上方から示す説明図である。
【図１１】完成した股ぐりの要部の状態を示す部分説明図である。
【図１２】股ぐりが最大垂下股ぐり高さＢｍａｘのときの股ぐり深さを示す説明図である。
【図１３】図１２に示す状態をトランクス型パンツの後方から見た部分透視図である。
【図１４】股ぐりが最大股ぐり高さＡｍａｘとなった状態を示す部分透視図である。
【図１５】図１４における最大股ぐり高さＡｍａｘのときの状態を示す説明図である。
【図１６】図１５に示す状態を全体的に透視して示す全体透視図である。
【図１７】ウエストラインとヘムラインの仕上げ縫い作業を残して完成したトランクス型パンツを背面から示す背面図である。
【図１８】ウエストラインとヘムラインの仕上げ縫い作業を残して完成したトランクス型パンツを正面から示す正面図である。
【図１９】従来技術に係るトランクス型パンツの左身頃形状と本発明の一つの実施の形態に係る左身頃形状を対比して示す説明図である。
【図２０】従来技術に係るトランクス型パンツの股ぐり周辺形状と、本発明の一つの実施の形態に係るトランクス型パンツの股ぐり周辺形状を対比して示す上面説明図である。
【図２１】図２０における対比と同様な対比をして示す背面説明図である。
【図２２】本発明の一つの実施の形態に係るトランクス型パンツの完成した状態を示す正面図である。
【図２３】図２２に示すトランクス型パンツの背面図である。
【図２４】図２２に示すトランクス型パンツを着用して座った状態（座位着用時）を示す説明図である。
【図２５】本発明の第２の実施の形態に係るトランクス型パンツの左身頃の裁断形状を示す平面図である。
【図２６】本発明の第２の実施の形態に係るトランクス型パンツの右身頃の裁断形状を示す平面図である。
【図２７】本発明の第２の実施の形態に係るトランクス型パンツの股マチ布の裁断形状を示す平面図である。
【図２８】図２５に示す左身頃と従来技術に係るトランクス型パンツの左身頃を対比して示す説明図である。
【図２９】図２５に示す左身頃の加工を説明するための説明図である。
【図３０】左右身頃と股マチ布が縫合された状態を示す説明図である。
【図３１】本発明の第２の実施の形態に係るトランクス型パンツの完成した状態を示す正面図である。
【図３２】図３１に示すトランクス型パンツの背面図である。
【図３３】本発明の第３の実施の形態に係るトランクス型パンツの左身頃の裁断形状を示す平面図である。
【図３４】本発明の第３の実施の形態に係るトランクス型パンツの右身頃の裁断形状を示す平面図である。
【符号の説明】
Ｌ  左身頃
Ｒ  右身頃
Ｘ  Ｘ軸（Ｘ方向）
Ｙ  Ｙ軸（Ｙ方向）
Ｌ１  左身頃部
Ｌ２  見返し
Ｒ１  右身頃部
Ｒ２  持ち出し
Ｃ  股ぐり
Ｈ  前開き口
Ｗ  前立て幅
Ｄ  後中心線
Ａ  股ぐり曲線
ＷＬ  ウエストライン
Ｅ  後股ぐり
ＣＢ  垂下分量
ＲＨ  右ヘムライン
ＬＨ  左ヘムライン
ＬＣ  垂下左縁
ＲＣ  垂下右縁
ＴＬＨ  従来技術に係る左ヘムライン
ＴＥ  従来技術に係る後股ぐり
ＭＬ  第２の実施の形態に係る左身頃
Ｍ  股マチ布
ＭＲ  第２の実施の形態に係る右身頃
ＭＷＬ  第２の実施の形態に係るウエストライン
ＭＲＨ  第２の実施の形態に係る右ヘムライン
ＭＬＨ  第２の実施の形態に係る左ヘムライン
ＭＨ  第２の実施の形態に係る前開き口
ＭＷ  第２の実施の形態に係る前立て幅
ＳＭＬ  第３の実施の形態に係る左身頃
ＳＰＬ  左サポータ部
ＳＭＲ  第３の実施の形態に係る右身頃
ＳＰＲ  右サポータ部
【図１】
0003765728.tif 000002
【図２】
0003765728.tif 000003
【図３】
0003765728.tif 000004
【図４】
0003765728.tif 000005
【図５】
0003765728.tif 000006
【図６】
0003765728.tif 000007
【図７】
0003765728.tif 000008
【図８】
0003765728.tif 000009
【図９】
0003765728.tif 000010
【図１０】
0003765728.tif 000011
【図１１】
0003765728.tif 000012
【図１２】
0003765728.tif 000013
【図１３】
0003765728.tif 000014
【図１４】
0003765728.tif 000015
【図１５】
0003765728.tif 000016
【図１６】
0003765728.tif 000017
【図１７】
0003765728.tif 000018
【図１８】
0003765728.tif 000019
【図１９】
0003765728.tif 000020
【図２０】
0003765728.tif 000021
【図２１】
0003765728.tif 000022
【図２２】
0003765728.tif 000023
【図２３】
0003765728.tif 000024
【図２４】
0003765728.tif 000025
【図２５】
0003765728.tif 000026
【図２６】
0003765728.tif 000027
【図２７】
0003765728.tif 000028
【図２８】
0003765728.tif 000029
【図２９】
0003765728.tif 000030
【図３０】
0003765728.tif 000031
【図３１】
0003765728.tif 000032
【図３２】
0003765728.tif 000033
【図３３】
0003765728.tif 000034
【図３４】
0003765728.tif 000035